(57)【要約】【課題】中留の係合部材における少なくとも外部に露呈する部位をセラミックにすることにより、バンド外観全体として高級感を呈するセラミック製のものにすることを可能にしたバンドの中留構造を提供する。【解決手段】係合部材２０を、チタンなどの金属材よりなる鉤状の係合爪部２０ａと、セラミック材よりなる平板状の押圧操作部２０ｂとから構成する。係合爪部２０ａと押圧操作部２０ｂには、それぞれ一部に嵌合部を形成し、それらを嵌着あるいは接着して結合する。金属製の係合部材２０の係合爪部２０ａにより中留の係合を行い、またセラミック製の押圧操作部２０ｂの側端部を、時計バンドの長手方向に直交する方向に露呈させて操作可能にする。【選択図】図７
0003168649.tif 000002
【実用新案登録請求の範囲】
【請求項１】
バンド端部に設けられる一対の中板を、それぞれ裏板の両側部に回動可能に設け、前記中板のいずれか一方に連結ユニットを設け、前記中板を前記裏板に対して折り畳み状態にしたときに、前記連結ユニットが前記中板の上側を覆う状態で、前記連結ユニットに内設された係合部材が前記裏板の係止開口に係合することにより、前記両バンド端部が連結される構成のバンドの中留構造であって、バンドを構成する駒部材の少なくとも外表面部分が、セラミック材により成形されてなるバンドに使用されるバンドの中留構造において、
前記係合部材が、
前記連結ユニット内部に摺動可能に設けられ、かつ側端部が前記連結ユニット外に突出して押圧操作ボタンとなる平板部と、
前記平板部から突出して前記係止開口に係脱可能な係合爪部とからなり、
さらに前記平板部をセラミック材により形成し、前記係合爪部を金属材により形成して、前記平板部と前記係合爪部とを結合固定したものであることを特徴とするバンドの中留構造。
【請求項２】
前記係合爪部をチタン材により形成したことを特徴とする請求項１に記載のバンドの中留構造。
【考案の詳細な説明】
【技術分野】
【０００１】  本考案は、時計バンドや装飾品用のバンドに適用され、一対のバンド端部を連結する中留構造に関する。
【背景技術】
【０００２】  図８は従来の観音開き型の中留の一例を示す斜視図である。図８において、中留１は、保持開口２と係止開口３を有する裏板４に、第１の中板５と第２の中板６が折り畳み可能／回動可能に連結されている。第１の中板５には、時計バンドの一方Ｂ１が連結されるとともに、第１の中板５を裏板４側に折り畳んだ際に、裏板４の保持開口２に対応する位置に突起部５ａが設けられている。【０００３】  さらに、中留１において、第２の中板６に表蓋７が回動可能に連結され、この表蓋７に時計バンドの他方Ｂ２が連結されている。また、表蓋７には連結ユニット９が設けられており、連結ユニット９は、第２の中板６と表蓋７とを裏板４側に折り畳んだ際に、裏板４の係止開口３に係止される係合部材１０を備えている。【０００４】  前記構成において、第１の中板５を裏板４側に折り畳み、次いで第２の中板６と表蓋７とを裏板４側に折り畳むと、突起部５ａが保持開口２に保持されるとともに、後述する係合部材１０が裏板４の係止開口３内に係止され、これにより時計バンドＢ１，Ｂ２の端部の連結が完了する。【０００５】  図９は前記連結ユニットの分解斜視図であり、連結ユニット９は、下面に長孔１１が形成された下枠１２と、下枠１２の上面に装着される上枠１３とを有しており、下枠１２内には、図１０に示す係合爪部１０ａを備えた一対の係合部材１０が摺動可能に収容されている。【０００６】  係合部材１０は、係合爪部１０ａが下枠１２の長孔１１より突出し、かつ時計バンドの長手方向に直交する方向に側端部を突出させて押圧操作部１０ｂとしている。一対の係合部材１０間にはスプリング１４が介在され、このスプリング１４の作用により、一対の係合部材１０が、下枠１２内部で移動可能に、かつ下枠１２の外側に付勢されている。
【先行技術文献】
【特許文献】
【０００７】
【特許文献１】特開２００４−１８７７５２号公報
【考案の概要】
【考案が解決しようとする課題】
【０００８】  近年、バンドに高級感を持たせるため、バンドにおいて独特の風合いを呈するセラミック製の駒体からなる時計バンドが市販されている。この種の時計バンドには、高級感のある中留として前記観音開き型の中留が使用されることが多い。【０００９】  前記中留は、通常、金属製の構成部材からなるが、セラミック製駒体に整合させるため中留もセラミック製にすることも考えられる。しかし、中留の構成は、図９に示すように、細かい加工を必要とする構成部材からなっている。特に、係合部材１０は係止爪部１０ａを必要とする一体物であるため、小スケールの係合部材全体をセラミックにより成形することは難しい。【００１０】  従来の金属であれば係合部材の加工製造は比較的容易であるが、セラミック材から従来と同様の機械強度を有する係合部材を成形することは、加工が困難でコストも大幅にアップする。したがって、バンドの駒体がセラミック製であっても、中留には、特に係合部材には、通常、金属製のものを採用している。【００１１】  このため従来では時計本体の側およびバンド全体をセラミック製にしたとしても、中留の一部が金属製の部材からなるため、その部位にセラミック材と同色のメッキ等の処理を行っても質感が同じにならず、高級感が損なわれていた。【００１２】  そこで本考案は、前記従来の課題を解決し、中留の係合部材における少なくとも外部に露呈する部位をセラミックにすることにより、バンド外観全体として高級感を呈するセラミック製のものにすることを可能にしたバンドの中留構造を提供することを目的とする。
【課題を解決するための手段】
【００１３】  本考案のバンドの中留構造は、バンド端部に設けられる一対の中板を、それぞれ裏板の両側部に回動可能に設け、前記中板のいずれか一方に連結ユニットを設け、前記中板を前記裏板に対して折り畳み状態にしたときに、前記連結ユニットが前記中板の上側を覆う状態で、前記連結ユニットに内設された係合部材が前記裏板の係止開口に係合することにより、前記両バンド端部が連結される構成のバンドの中留構造であって、バンドを構成する駒部材の少なくとも外表面部分が、セラミック材により成形されてなるバンドに使用されるバンドの中留構造において、前記係合部材が、前記連結ユニット内部に摺動可能に設けられ、かつ側端部が前記連結ユニット外に突出して押圧操作ボタンとなる平板部と、前記平板部から突出して前記係止開口に係脱可能な係合爪部とからなり、さらに前記平板部をセラミック材により形成し、前記係合爪部を金属材により形成して、前記平板部と前記係合爪部とを結合固定したものであることを特徴とする。
【考案の効果】
【００１４】  本考案のバンドの中留構造によれば、中留の係合部材において、バンド側部から突出して目立つ押圧操作ボタンとなる平板部をセラミック製として、内部の形状が比較的複雑で機械強度が要求される係合爪部をチタンなどの金属製とすることにより、耐久性に優れかつ高級感のあるセラミック製のバンドを提供することができる。
【図面の簡単な説明】
【００１５】
【図１】本考案に係る中留の実施の形態を適用したバンドの中留部分を示す斜視図である。
【図２】本実施の形態の中留の開放状態を示す斜視図である。
【図３】本実施の形態においてバンドを取り除いた中留部分の斜視図である。
【図４】本実施の形態における中留の分解斜視図である。
【図５】本実施の形態における係合ユニットの分解斜視図である。
【図６】本実施の形態における係合ユニットの要部の係合状態を示す斜視図である。
【図７】本実施の形態における係合部材を示す斜視図である。
【図８】従来の中留の開放状態を示す斜視図である。
【図９】図８に示す従来の中留における要部の分解斜視図である。
【図１０】図８に示す従来の中留における係合部材を示す斜視図である。
【考案を実施するための形態】
【００１６】  以下に本考案の好適な実施形態を図面にて説明する。なお、図８〜図１０において説明した部材と同一の部材には同一符号を付して詳しい説明は省略する。
【００１７】  図１〜図７において、１は観音開き型の中留、４は保持開口２と係止開口３を有する裏板、５は、折り畳まれた際に裏板４の保持開口２に対応する位置に突起部５ａが設けられ、かつ裏板４の一端側に折り畳み可能／回動可能に連結されている第１の中板、６は裏板４の他端側に折り畳み可能／回動可能に連結されている第２の中板、Ｂ１は第１の中板５に連結された一方のバンドである。
【００１８】  ７は、第２の中板６に回動可能に連結され、バンドの他方Ｂ２が連結されている表蓋、９は、表蓋７に設けられ、第２の中板６と表蓋７を裏板４側に折り畳んだ際に、裏板４の係止開口３に係止される係合部材２０を備えている連結ユニットである。
【００１９】  図４〜６に示すように、連結ユニット９は、下面に長孔１１が形成された下枠１２と、下枠１２の上面に装着される上枠１３とを有しており、下枠１２内には後述する一対の係合部材２０が摺動可能に収容されている。
【００２０】  本実施の形態において、係合部材２０は、図７に示すように、チタンなどの金属材よりなる鉤状の係合爪部２０ａと、セラミック材よりなる平板状の押圧操作部２０ｂとからなり、係合爪部２０ａと押圧操作部２０ｂとの一部に嵌合部を形成し、それらを嵌着あるいは接着して結合している。係合爪部２０ａは下枠１２の長孔１１より突出し、押圧操作部２０ｂは時計バンドの長手方向に直交する方向に側端部が露呈するようになっている。
【００２１】  一対の係合部材２０間にはスプリング１４が介在され、このスプリング１４の作用により、一対の係合部材２０が、下枠１２内部で移動可能に、かつ下枠１２の外側に付勢されている。
【００２２】  前記構成の本実施の形態の中留１において、第１の中板５を裏板４側に折り畳み、次いで第２の中板６と表蓋７を裏板４側に折り畳むと、突起部５ａが保持開口２に保持されるとともに、係合部材２０の係合爪部２０ａが、下枠１２の長孔１１を通って裏板４の係止開口３内に係止され、これによりバンドＢ１，Ｂ２の端部の連結が完了する。
【００２３】  また、本実施の形態においてバンドＢ１，Ｂ２の連結を解除するには、一対の係合部材２０の押圧操作部２０ｂをスプリング１４の付勢力に抗して内方へ押圧する。これにより、係合部材２０の係合爪部２０ａと裏板４の係止開口３との係止が解放される。その後、突起部５ａが保持開口２から外れるように、保持裏板４に対して第１の中板５を回動させ、かつ第２の中板６を回動させることにより、中留１が開放されてバンドＢ１，Ｂ２の連結を解除することができる。
【産業上の利用可能性】
【００２４】  本考案は、各種バンド類、特に装身具などの身体に着ける各種のバンドの中留に適用される。
【符号の説明】
【００２５】１  中留
３  係止開口
４  裏板
５  第１の中板
６  第２の中板
７  表蓋
９  連結ユニット
２０  係合部材
２０ａ  係合爪部
２０ｂ  押圧操作部
【図１】
0003168649.tif 000003
【図２】
0003168649.tif 000004
【図３】
0003168649.tif 000005
【図４】
0003168649.tif 000006
【図５】
0003168649.tif 000007
【図６】
0003168649.tif 000008
【図７】
0003168649.tif 000009
【図８】
0003168649.tif 000010
【図９】
0003168649.tif 000011
【図１０】
0003168649.tif 000012